(57)【要約】【課題】製造許容差が大きい場合であっても、第１及び第２コネクタ部材の軸方向の移動を減少させる電気コネクタの提供。【解決手段】電気コネクタは、第１コネクタ部材２、第２コネクタ部材３及びロックリング１を有する。第１コネクタ部材は、第１コンタクト２５及び当接面１４を有する。第２コネクタ部材は、溝４と、第１コンタクトに電気接続するための第２コンタクト２２とを有する。ロックリング１は第１コネクタ部材上に配置され、ラッチフィンガ６を有する。ラッチフィンガは、少なくとも第１タイプ６Ａ及び第２タイプ６Ｂがある。第１コネクタ部材及び第２コネクタ部材が互いに嵌合して第１コネクタ部材を第２コネクタ部材にロックする際に、当接面が溝から第１の距離に位置すると第１タイプが溝に係止し、当接面が溝から第２の距離に位置すると第２タイプが溝に係止するように、第１タイプ６Ａは第２タイプ６Ｂと異なる長さを有する。【選択図】図９
2004356083.tif 000002
【特許請求の範囲】
【請求項１】
第１コンタクトを有する第１コネクタ部材と、前記第１コンタクトと電気接続するための第２コンタクト及び溝を有する第２コネクタ部材と、ロックリングとを具備する電気コネクタにおいて、
前記ロックリングは、前記第１コネクタ部材上に配置されるものであって、前記第１コネクタ部材及び前記第２コネクタ部材が互いに嵌合して前記第１コネクタ部材を前記第２コネクタ部材にロックする際に、前記溝に係止するラッチフィンガを有し、
該ラッチフィンガは、少なくとも第１タイプ及び第２タイプがあり、
前記第１タイプは、前記第２タイプと異なる長さを有することを特徴とする電気コネクタ。
【請求項２】
前記第１タイプは、前記ロックリングの平面に対して前記第２タイプとは異なる角度で形成されていることを特徴とする請求項１記載の電気コネクタ。
【請求項３】
前記第２タイプは、前記第１タイプよりも短い長さ及び小さな角度を有することを特徴とする請求項１又は２記載の電気コネクタ。
【請求項４】
前記ラッチフィンガは第３タイプを有し、
該第３タイプは、前記第２タイプよりも短い長さ及び小さな角度を有することを特徴とする請求項３記載の電気コネクタ。
【請求項５】
前記ラッチフィンガは、前記ラッチリングの内側から該ラッチリングの前記平面の下側に向って延びることを特徴とする請求項１ないし４のうちいずれか１項記載の電気コネクタ。
【請求項６】
前記第１タイプの長さ及び前記第２タイプの長さは、該長さの３％を超えて変動することを特徴とする請求項１ないし５のうちいずれか１項記載の電気コネクタ。
【請求項７】
前記第１コネクタ部材は当接面を有し、
前記ラッチフィンガは、前記第２コネクタ部材を前記当接面に当接させて保持することを特徴とする請求項１ないし６のうちいずれか１項記載の電気コネクタ。
【請求項８】
前記第１コネクタ部材の表面に隣接して摺動するロック解除部材が設けられ、
該ロック解除部材は、前記ラッチ部材と係合して前記溝から前記ラッチ部材を解放することを特徴とする請求項１ないし７のうちいずれか１項記載の電気コネクタ。
【請求項９】
前記ラッチフィンガは、前記ロック部材の環状面の周囲に配置され、
前記第１タイプは、前記環状面上に互いに直接対向するように配置され、
前記第２タイプは、前記環状面上に互いに直接対向するように配置されることを特徴とする請求項１ないし請求項８のうちいずれか１項記載の電気コネクタ。
【請求項１０】
第１コンタクトを有する第１コネクタ部材と、前記第１コンタクトと電気接続するための第２コンタクト及び溝を有する第２コネクタ部材と、ロックリングとを具備する電気コネクタにおいて、
前記ロックリングは、前記第１コネクタ部材上に配置されるものであって、前記第１コネクタ部材及び前記第２コネクタ部材が互いに嵌合して前記第１コネクタ部材を前記第２コネクタ部材にロックする際に前記溝に係止するラッチフィンガを有し、
該ラッチフィンガは、少なくとも第１タイプ及び第２タイプがあり、
前記第１タイプは、前記ロックリングの平面に対して前記第２タイプとは異なる角度で形成されていることを特徴とする電気コネクタ。
【請求項１１】
前記ラッチフィンガは第３タイプを有し、
該第３タイプは前記第２タイプよりも小さな角度で形成され、
前記第２タイプは前記第１タイプよりも小さな角度で形成されていることを特徴とする請求項１０記載の電気コネクタ。
【請求項１２】
前記ラッチフィンガは、前記ラッチリングの内側から該ラッチリングの前記平面の下側に向って延びることを特徴とする請求項１０又は１１記載の電気コネクタ。
【請求項１３】
前記第１コネクタ部材は当接面を有し、
前記ラッチフィンガは、前記第２コネクタ部材を前記当接面に当接させて保持することを特徴とする請求項１０ないし１２のうちいずれか１項記載の電気コネクタ。
【請求項１４】
前記第１コネクタ部材の表面に隣接して摺動するロック解除部材が設けられ、
該ロック解除部材は、前記ラッチ部材と係合して前記溝から前記ラッチ部材を解放することを特徴とする請求項１０ないし１３のうちいずれか１項記載の電気コネクタ。
【請求項１５】
前記ラッチフィンガは、前記ロック部材の環状面の周囲に配置され、
前記第１タイプは、前記環状面上に互いに直接対向するように配置され、
前記第２タイプは、前記環状面上に互いに直接対向するように配置されることを特徴とする請求項１０ないし請求項１４のうちいずれか１項記載の電気コネクタ。
【請求項１６】
第１コンタクト及び当接面を有する第１コネクタ部材と、前記第１コンタクトと電気接続するための第２コンタクト及び溝を有する第２コネクタ部材と、ロックリングとを具備する電気コネクタにおいて、
前記ロックリングは、前記第１コネクタ部材上に配置されるものであって、ラッチフィンガを有し、
該ラッチフィンガは、少なくとも第１タイプ及び第２タイプがあり、
前記第１及び第２コネクタ部材が互いにロックして前記第１コネクタ部材を前記第２コネクタ部材にロックする際に、前記当接面が前記溝から第１の距離に位置すると前記第１タイプが前記溝に係止し、前記当接面が前記溝から第２の距離に位置すると前記第２タイプが溝に係止するように、前記第１タイプは前記第２タイプと異なる長さを有することを特徴とする電気コネクタ。
【請求項１７】
前記第１タイプは、前記ロックリングの平面に対して前記第２タイプとは異なる角度で形成されていることを特徴とする請求項１６記載の電気コネクタ。
【請求項１８】
前記第２タイプは、前記第１タイプよりも短い長さ及び小さな角度を有することを特徴とする請求項１６又は１７記載の電気コネクタ。
【請求項１９】
前記ラッチフィンガは第３タイプを有し、
該第３タイプは、前記第２タイプよりも短い長さ及び小さな角度を有し、且つ前記当接面が前記溝から第３距離にあるときに前記溝に係止することを特徴とする請求項１８記載の電気コネクタ。
【請求項２０】
前記ラッチフィンガは、前記ラッチリングの内側から該ラッチリングの前記平面の下側に向って延びることを特徴とする請求項１６ないし１９のうちいずれか１項記載の電気コネクタ。
【請求項２１】
前記第１タイプの長さ及び前記第２タイプの長さは、該長さの３％を超えて変動することを特徴とする請求項１６ないし２０のうちいずれか１項記載の電気コネクタ。
【請求項２２】
前記ラッチフィンガは、前記第２コネクタ部材を前記当接面に当接させて保持することを特徴とする請求項１６ないし２１のうちいずれか１項記載の電気コネクタ。
【請求項２３】
前記第１コネクタ部材の表面に隣接して摺動するロック解除部材が設けられ、
該ロック解除部材は、前記ラッチ部材と係合して前記溝から前記ラッチ部材を解放することを特徴とする請求項１６ないし２２のうちいずれか１項記載の電気コネクタ。
【請求項２４】
前記ラッチフィンガは、前記ロック部材の環状面の周囲に配置され、
前記第１タイプは、前記環状面上に互いに直接対向するように配置され、
前記第２タイプは、前記環状面上に互いに直接対向するように配置されることを特徴とする請求項１６ないし請求項２３のうちいずれか１項記載の電気コネクタ。
【発明の詳細な説明】
【技術分野】
【０００１】
本発明は、第２コネクタと嵌合してロックリングで第２コネクタに固定される第１コネクタを有する電気コネクタに関する。
【背景技術】
【０００２】
軸方向に嵌合する電気コネクタは、第２コネクタ部材と嵌合する第１コネクタ部材を具備する。第１コネクタ部材は軸方向孔及び第１コンタクトを有する。第２コネクタ部材は、第２コンタクトと、軸方向孔に受容される筒状本体とを有する。第１及び第２コンタクトは、互いに嵌合する際に電気的に接続される。筒状本体及び軸方向孔の一方は溝を有する。ロックリングは、筒状本体及び軸方向孔の間に配置される。ロックリングは、第１及び第２コネクタ部材が互いから接続解除されるのを防止するように、溝に係止するラッチフィンガを有する。このような、ロックリングと軸方向に嵌合する電気コネクタの一例は、特許文献１に開示される。
【特許文献１】独国特許第１９７４９１３０号明細書
【発明の開示】
【発明が解決しようとする課題】
【０００３】
ロックリングが第１コネクタ部材を第２コネクタ部材にロックすることを保証するために、ラッチフィンガは、特定の長さを有し、特定の角度に配置される必要がある。特に、非常に小さい間隙をもって軸方向ロックを保証するために、軸方向孔の直径、筒状本体の直径及びラッチフィンガの角度は、小さい範囲の値に収まる必要がある。このことは高製造コストを招いてしまう。
【０００４】
本発明は、製造許容差が大きい場合であっても、第１及び第２コネクタ部材の軸方向の移動を減少させる電気コネクタを提供することを目的とする。
【課題を解決するための手段】
【０００５】
この目的及び他の目的は、第１コネクタ部材、第２コネクタ部材及びロックリングを有する電気コネクタにより達成される。第１コネクタ部材は第１コンタクトを有する。第２コネクタ部材は、溝と、第１コンタクトと電気接続するための第２コンタクトとを有する。ロックリングは第１コネクタ部材上に配置される。ロックリングは、第１コネクタ部材及び第２コネクタ部材が互いに嵌合して第１コネクタ部材を第２コネクタ部材にロックする際に、溝に係止するラッチフィンガを有する。ラッチフィンガは、少なくとも第１タイプ及び第２タイプがある。第１タイプは第２タイプと異なる長さを有する。
【０００６】
この目的及び他の目的はさらに、第１コネクタ部材、第２コネクタ部材及びロックリングを有する電気コネクタにより達成される。第１コネクタ部材は第１コンタクトを有する。第２コネクタ部材は、溝と、第１コンタクトと電気接続するための第２コンタクトとを有する。ロックリングは第１コネクタ部材上に配置される。ロックリングは、第１コネクタ部材及び第２コネクタ部材が互いに嵌合して第１コネクタ部材を第２コネクタ部材にロックする際に、溝に係止するラッチフィンガを有する。ラッチフィンガは、少なくとも第１タイプ及び第２タイプがある。第１タイプは、ロックリングの平面に対して第２タイプとは異なる角度で形成される。
【０００７】
この目的及び他の目的はさらに、第１コネクタ部材、第２コネクタ部材及びロックリングを有する電気コネクタにより達成される。第１コネクタ部材は第１コンタクト及び当接面を有する。第２コネクタ部材は、溝と、第１コンタクトと電気接続するための第２コンタクトとを有する。ロックリングは、第１コネクタ部材上に配置され、ラッチフィンガを有する。ラッチフィンガは、少なくとも第１タイプ及び第２タイプがある。第１及び第２コネクタ部材が互いにロックして第１コネクタ部材を第２コネクタ部材にロックする際に、当接面が溝から第１の距離に位置すると第１タイプが溝に係止し、当接面が溝から第２の距離に位置すると第２タイプが溝に係止するように、第１タイプは第２タイプと異なる長さを有する。
【発明を実施するための最良の形態】
【０００８】
以下図面を参照して本発明を詳細に説明する。図１は、本発明によるコネクタシステムの縦断面図であり、嵌合状態にある第１及び第２コネクタ部材を示す。図２は、第１コネクタ部材の部分断面図である。図３は、内部スリーブ及びラッチフィンガの拡大断面図である。図４は、第１コネクタ部材のロック解除スリーブを断面図である。図５は、第２コネクタ部材の縦断面図である。図６は、ロックリングの斜視図である。図７は、図６のロックリングの平面図である。図８は、図６のロックリングの断面図である。
【０００９】
図１は、第１コネクタ部材２、第２コネクタ部材３及びロックリング１を有するコネクタシステムを示す。図１及び図２に示されるように、第１コネクタ部材２はスリーブ本体２４を有する。スリーブ本体２４は、第１スリーブ７と共に配置された開口１３を有する。第１スリーブ７は円形断面を有する。コンタクトピン（第１コンタクト）２５が第１スリーブ７の中心に配置される。第１スリーブ７及びコンタクトピン２５は、電気的に隔絶されており、異なる電圧の通電に使用することができる。例えば、第１スリーブ７は、コンタクトピン２５の信号のシールドとして使用することができる。スリーブ本体２４は金属製のストップスリーブを有し、ストップスリーブは前端で曲がった縁１２を有する。曲がった縁１２は、第１スリーブ７の方向へ内面上に曲げられる。ロックリング１は、スリーブ本体２４の前端及び曲げられた縁１２の間に配置される。スリーブ本体２４の前端及び縁１２の間の距離はロックリング１の高さより大きくすることができ、ロックリング１に軸方向の隙間を与える。第１コネクタ部材２は当接面１４を有する。当接面１４は、例えばストップスリーブの縁、ストップスリーブの曲げられた縁、又はスリーブ本体２４に固定されたスプリングの縁であってもよい。
【００１０】
図１に示されるように、ロック解除部材２８は、スリーブ本体２４を取り囲むと共に、スリーブ本体２４の縦軸に沿って摺動するよう形成される。図４に示されるように、ロック解除部材２８は、外部スリーブ２９と、この外部スリーブ２９と平行に配置された内部スリーブ３０とを有する。内部スリーブ３０は、中央開口１５と、ロックリング１上に配置されたラッチフィンガ６の方向に外側から内側に傾斜する環状フランジ４１とを有する。環状フランジ４１は、外部スリーブ２９がスリーブ本体２４上に移動する際に、外側に押圧されるロックリング１上のラッチフィンガ６を支持するように形成される。内部スリーブ３０及び外部スリーブ２９は、ロック解除部材２８の前に配置されたリング部４２により結合されている。リング部４２は、中央開口１５に向って傾斜する円錐状フランジ２０を前端に有する。内部スリーブ３０は、第２コネクタ部材３が第１コネクタ部材２と嵌合する際に、第２コネクタ部材３の第２スリーブ２７を受容する筒状開口を有する。内部スリーブ３０は、ロックリング１の直径より小さいが対向する２個のラッチフィンガ６間の距離より大きな直径を有する。内部スリーブ３０は、ラッチフィンガ６の前の嵌合位置に配置される。環状受容室４０は、内部スリーブ３０及び外部スリーブ２９巻に配置され、スリーブ本体２４の方向に開口する。受容室４０はスリーブ本体２４の前部を受容する。
【００１１】
図５に示されるように、第２コネクタ部材３の第２スリーブ２７は、コンタクトスリーブ（第２コンタクト）２２から電気的に隔絶されている。第１スリーブ２７が第２スリーブ２７内に挿入される際に第１スリーブ２７が第２スリーブ２７と電気的に接続され、第２スリーブ２７の端部は第１コネクタ部材２の当接面２４に隣接して配置されるように、第２スリーブ２７は形成される。第２環状絶縁体２１はコンタクトスリーブ２２を取り囲む。第２スリーブ２７と電気的に接続される第２外部導体４３は、第２環状絶縁体２１を取り囲む。第２スリーブ２７の前端から所定距離で第２スリーブ２７の外面に配置されるのは、環状溝４である。
【００１２】
図６ないし図８に示されるように、ロックリング１は、その内側に配置される共にロックリング１の平面の下側を向く複数のラッチフィンガ６を有する。図７に示されるように、ロックリング１は、第１、第２及び第３のタイプ６Ａ，６Ｂ，６Ｃのラッチフィンガ６を具備する。各タイプ６Ａ，６Ｂ，６Ｃは異なる長さを有する。ラッチフィンガ６の第１タイプ６Ａは最も長く、第２タイプ６Ｂは中間の長さであり、第３タイプ６Ｃは最も短い。図６に示されるように、同一タイプの２本のフィンガは、好適にはロックリング１の対向側に配置される。しかし、本発明は３タイプ６Ａ，６Ｂ，６Ｃのラッチフィンガ６に限定されない。ロックリング１は、より多い数のタイプ又はより少ない数のタイプのラッチフィンガ６を具備してもよい。ラッチフィンガ６の第１、第２及び第３のタイプ６Ａ，６Ｂ，６Ｃ間の長さの差は、長さの範囲が３％以下で変動する場合における同一タイプのラッチフィンガの製造誤差により生ずる長さの差よりも大きい。
【００１３】
ラッチフィンガ６の第１、第２及び第３のタイプ６Ａ，６Ｂ，６Ｃは、平面に関して異なる角度で配置される。ラッチフィンガ６の第１タイプ６Ａ、第２タイプ６Ｂ、第３タイプ６Ｃは、リング１の平面に対してそれぞれ第１角度α1、第２角度α2、第３角度α3で傾斜する。第１角度α1は第２角度α2より大きく、第２角度α2は第３角度α3より大きい。或いは、簡単な実施形態においては、全てのラッチフィンガ６は同一角度で配置されてもよい。
【００１４】
図２に示されるように、第１コネクタ部材２はケーブル３２に接続される。ケーブル３２は、コンタクトピン２５に接続される中心導体８を有する。環状絶縁体１１は中心導体８を取り囲む。外部導体９は絶縁体１１を取り囲む。外部導体９は第１スリーブ７に電気接続される。図示の実施形態において、第１コネクタ部材２は同軸コネクタプラグであり、第２コネクタ部材３は同軸ジャックである。しかし、本発明は本実施形態に限定されず、他の種類のコネクタ部材との使用に適合してもよい。
【００１５】
第１コネクタ部材２及び第２コネクタ部材３の嵌合を説明する。第１コネクタ部材２のコンタクトピン２５は、第２コネクタ部材３のコンタクトスリーブ２２内に挿入され、コンタクトピン２５及びコンタクトスリーブ２２を電気接続する。スリーブ本体２４はロックリング１をロックし、ラッチフィンガ６は、第１及び第２コネクタ部材２，３の嵌合時に溝４に係止する。ラッチフィンガ６は、第２コネクタ部材３及び第２スリーブ２７を当接面１４に当接させて保持する。第２コネクタ部材３が第１コネクタ部材２から嵌合解除されようとすると、溝４が剛性のあるラッチフィンガ６に逆らって押圧し、ロックリング１を保持する。これにより、ラッチフィンガ６は、第２コネクタ部材３が第１コネクタ部材２から引き出されることを防止する。
【００１６】
図９ないし図１１は、第１及び第２のコネクタ部材の異なる実施形態を示す。ここで、各実施形態において、第１コネクタ部材２の当接面１４及び第２コネクタ部材３の溝４間の距離は、大きな製造誤差範囲により変動する。第１コネクタ部材２の当接面１４及び第２コネクタ部材３の溝間の距離が変動するので、溝４及びロックリング１間の距離も変動する。これらの距離の差を補償するために、ロックリング１には異なるタイプのラッチフィンガ６が設けられ、第２コネクタ部材３が第１コネクタ部材２に当接して保持されることを保証する。その結果、第１及び第２コネクタ２，３間の接続抵抗は、溝４の位置が変動しても同一になる。
【００１７】
図９に示されるように、溝４は、溝４及びリング１間の距離を大きくする、当接面１４から第１距離d1の位置に配置される。本実施形態において、最も長い第１タイプ６Ａのラッチフィンガ６は、溝４に係止すると共に第２スリーブ２７を当接面１４に当接させて保持する。さらに、第２タイプ６Ｂ及び第３タイプ６Ｃのラッチフィンガ６は、溝４に係止すると共に第２スリーブ２７を当接面１４に当接させて保持するのを補助する。
【００１８】
図１０に示されるように、溝４は、当接面１４から第２距離d2の位置に配置される。第２距離d2は図９における第１距離d1より大きい。この結果、溝４及びロックリング１間の距離は図９における距離より小さい。本実施形態において、第２タイプ６Ｂ及び第３タイプ６Ｃのラッチフィンガ６は、溝４に係止すると共に第２スリーブ２７を当接面１４に当接させて保持する。
【００１９】
図１１に示されるように、溝４は、当接面１４から第３距離d3の位置に配置される。第３距離d3は図１０における第１距離d1より大きい。この結果、溝４及びロックリング１間の距離は小さい。本実施形態において、第３タイプ６Ｃのラッチフィンガ６のみが、溝４に係止すると共に第２スリーブ２７を当接面１４に当接させて保持する。
【００２０】
軸方向に沿った小さな間隙を持ったロック機能を達成するために、第１タイプ６Ａ、第２タイプ６Ｂ及び第３タイプ６Ｃのラッチフィンガ６は、第３タイプ６Ｃのラッチフィンガ６に対しては図９に示されるように第３角度α3で傾斜すべきである。保持機能をさらに改善するために、第１タイプ６Ａ、第２タイプ６Ｂ及び第３タイプ６Ｃのラッチフィンガ６は異なる角度α1、α2、α3を有するべきであり、これらの角度はラッチフィンガ６の長さに対応して大きくなるべきである。さらに、異なる角度α1、α2、α3は、第１及び第２コネクタ部材２，３の嵌合に要する力を低減する。
【００２１】
第２コネクタ部材３は、第１及び第２コネクタ部材２，３間の電気接続の抵抗が最適となるように、第１コネクタ部材２に対して軸方向の所定位置に保持される。第２コネクタ部材３に対する第１コネクタ部材２の軸方向の位置は、第１及び第２コネクタ部材２，３の接続の電気抵抗が互いの軸方向の位置に依存するので、重要である。第１及び第２コネクタ部材２，３は、第２コネクタ３、特に第２スリーブ２７が第１コネクタ部材２の当接面１４に隣接する場合、最良のインピーダンスを有するように設計されている。
【００２２】
第２コネクタ部材３及び第１コネクタ部材２の接続をロック解除するために、ロック解除部材２８がスリーブ本体２４の方向に押圧される。ロック解除部材２８をスリーブ本体２４に向って押圧することにより、スリーブ本体２４の前部は受容室４０内に受容される。この移動の結果、内部スリーブ３０はラッチフィンガ６を環状溝４から外側に押圧し、第２スリーブ２７が軸方向に移動するように解放する。次に、第２スリーブ２７は、スリーブ本体２４から引き出して第１及び第２コネクタ部材２，３を係合解除することができる。
【００２３】
図９ないし図１１に示されるように、ラッチフィンガ６が異なる長さ６Ａ，６Ｂ，６Ｃを有すると、本体、孔、溝４が最適の寸法又は位置でない場合であっても、第１及び第２コネクタ部材２，３は互いに所定の軸方向に位置にロックできる。というのは、溝４の最適寸法又は最適位置の差異は、ラッチフィンガ６の異なる長さ６Ａ，６Ｂ，６Ｃにより補償されるからである。本発明の好適実施形態において、異なる長さ６Ａ，６Ｂ，６Ｃを有するラッチフィンガ６は、異なる長さ６Ａ，６Ｂ，６Ｃがより効果的に本体をロックできるように、異なる角度でロックリング１の平面の方に傾斜する。さらに、本実施形態において、ラッチフィンガ６は、第２スリーブ２７及びロックリング１の直径の一方又は両方が大きな値の範囲で変動する場合であっても、溝４及び当接面１４間の距離の大きな範囲で小さな軸方向の間隙を有する第１及び第２コネクタ部材２，３をロックできる。
【００２４】
同一長さのラッチフィンガ６がロックリング１の対向側に配置されると、本体は、軸方向の移動に抗してラッチフィンガ６により保持される。それにより第２部材３が常に当接面１４に当接して保持されるので、嵌合状態の第１及び第２コネクタ部材２，３が同じ電気的特性を示すように、第１及び第２コネクタ部材２，３の軸方向の位置が常に同じである。このことは、この位置が特に高周波信号の振る舞いに対して好適な電気的特性を提供する点で、同軸コネクタにおいて特に利点がある。
【図面の簡単な説明】
【００２５】
【図１】本発明によるコネクタシステムの縦断面図であり、嵌合状態にある第１及び第２コネクタ部材を示す。
【図２】第１コネクタ部材の部分断面図である。
【図３】内部スリーブ及びラッチフィンガの拡大断面図である。
【図４】第１コネクタ部材のロック解除スリーブを断面図である。
【図５】第２コネクタ部材の縦断面図である。
【図６】ロックリングの斜視図である。
【図７】図６のロックリングの平面図である。
【図８】図６のロックリングの断面図である。
【図９】第１及び第２コネクタ部材の嵌合位置の概略図であり、溝及び当接面間の第１距離を示す。
【図１０】第１及び第２コネクタ部材の嵌合位置の概略図であり、溝及び当接面間の第２距離を示す。
【図１１】第１及び第２コネクタ部材の嵌合位置の概略図であり、溝及び当接面間の第３距離を示す。
【符号の説明】
【００２６】
１    ロックリング
２    第１コネクタ部材
３    第２コネクタ部材
４    溝
６    ラッチフィンガ
６Ａ  第１タイプ
６Ｂ  第２タイプ
６Ｃ  第３タイプ
１４  当接面
２２  第２コンタクト
２５  第１コンタクト
２８  ロック解除部材
α1、α2、α3  角度
【図１】
2004356083.tif 000003
【図２】
2004356083.tif 000004
【図３】
2004356083.tif 000005
【図４】
2004356083.tif 000006
【図５】
2004356083.tif 000007
【図６】
2004356083.tif 000008
【図７】
2004356083.tif 000009
【図８】
2004356083.tif 000010
【図９】
2004356083.tif 000011
【図１０】
2004356083.tif 000012
【図１１】
2004356083.tif 000013